(57)【要約】      （修正有）【課題】スピーカユニットとスピーカユニットを収容する筐体の隙間への異物の侵入の抑制を図ったスピーカ装置を提供する。【解決手段】スピーカユニット２、スピーカユニットを収容する筐体４、スピーカユニットの音放射面の角度及び位置を変更可能な動作機構、を備える。筐体にスピーカユニットが格納された格納状態から、動作機構により動作されて、音放射面Ｓ１の一端２ａが、筐体の開口の縁４ａに対して、近接・離隔可能であり、音放射面の一端と開口の縁との隙間を埋めるカバー５を備える。カバーがスピーカユニットの動作に追従することで、隙間を埋めた状態が維持される。【選択図】図５
2016158029.tif 000002
【特許請求の範囲】
【請求項１】
スピーカユニット、当該スピーカユニットを収容する筐体、前記スピーカユニットの音放射面の角度及び位置を変更可能な動作機構、を備え、
前記筐体に前記スピーカユニットが格納された格納状態から、前記動作機構により動作されて、前記音放射面の一端が、前記筐体の開口の縁に対して、近接・離隔可能であり、
前記音放射面の一端と前記開口の縁との隙間を埋めるカバーを備え、
前記カバーが前記スピーカユニットの動作に追従することで、前記隙間を埋めた状態が維持されることを特徴とするスピーカ装置。
【請求項２】
前記音放射面の一端が、前記動作機構により動作されて、前記開口の縁に対して、没入及び後退の何れか一方若しくは双方が可能であることを特徴とする請求項１記載のスピーカ装置。
【請求項３】
前記スピーカユニットには、外周面が設けられ、
前記カバーの一端が、前記開口の縁に回動自在に接続され、他端が、前記外周面に接しながら移動することを特徴とする請求項１又は請求項２記載のスピーカ装置。
【請求項４】
前記カバーの他端には、前記スピーカユニットの前記外周面に接しながら移動するブラシ又は可撓性部材、若しくは、前記外周面に沿って移動可能なローラが設けられていることを特徴とする請求項３記載のスピーカ装置。
【請求項５】
前記音放射面の一端には、前記カバーの表面に接しながら移動するブラシ又は可撓性部材が設けられていることを特徴とする請求項３又は請求項４記載のスピーカ装置。
【請求項６】
前記カバーが、前記音放射面の一端と前記開口の縁とに接続されているとともに、伸縮自在であることを特徴とする請求項１又は請求項２記載のスピーカ装置。
【発明の詳細な説明】
【技術分野】
【０００１】
本発明は、スピーカ装置に関する。
【背景技術】
【０００２】
上述したスピーカ装置として、自動車のダッシュボードにおける車幅方向の両側に形成された凹所に、スピーカを内蔵するスピーカキャビネットを回動自在に取り付けた車載用スピーカ装置が開示されている（例えば、特許文献１参照）。
【０００３】
この特許文献１に開示された従来の車載用スピーカ装置において、スピーカキャビネットは、車幅方向から見て、軸を中心とした略円形状となるように構成されている。また、車載用スピーカ装置は、車幅方向に延在する軸を中心として回動するように構成されている。
【０００４】
このような従来の車載用スピーカ装置を車幅方向から見て例えば矩形等の円形状とは異なる形状にした場合には、スピーカと凹所を有するダッシュボード等のスピーカを収容する筐体との間に隙間が形成されることとなり、この隙間から異物が侵入する虞れがあった。そして、この隙間から侵入した異物が、機器の故障の原因となる場合があった。
【先行技術文献】
【特許文献】
【０００５】
【特許文献１】実開昭６１−１３４１８９号公報
【発明の概要】
【発明が解決しようとする課題】
【０００６】
本発明は、スピーカユニットと該スピーカユニットを収容する筐体の隙間への異物の侵入の抑制を図ったスピーカ装置を提供することを課題の一例としている。
【課題を解決するための手段】
【０００７】
上記課題を解決するために、請求項１に記載のスピーカ装置は、スピーカユニット、当該スピーカユニットを収容する筐体、前記スピーカユニットの音放射面の角度及び位置を変更可能な動作機構、を備え、前記筐体に前記スピーカユニットが格納された格納状態から、前記動作機構により動作されて、前記音放射面の一端が、前記筐体の開口の縁に対して、近接・離隔可能であり、前記音放射面の一端と前記開口の縁との隙間を埋めるカバーを備え、前記カバーが前記スピーカユニットの動作に追従することで、前記隙間を埋めた状態が維持されることを特徴とする。
【図面の簡単な説明】
【０００８】
【図１】本発明の第１実施例にかかるスピーカ装置を示す斜視図である。
【図２】図１に示されたスピーカ装置において、内部の構造を説明するための斜視図である。
【図３】図１に示されたスピーカ装置の一部を示す斜視図である。
【図４】図１に示されたスピーカ装置の動作機構の一部を示す側面図である。
【図５】（Ａ）は、図１に示されたスピーカ装置の筐体の一部を示す斜視図であり、（Ｂ）は、（Ａ）にスピーカユニットが取り付けられた状態を示す斜視図である。
【図６】図１に示されたスピーカ装置の動作過程におけるカバーの様子を示す断面図である。
【図７】図１に示されたスピーカ装置の動作を説明するための側面図であり、（Ａ）（Ｄ）は格納状態を示す図であり、（Ｂ）は後退状態を示す図であり、（Ｃ）は没入状態を示す図である。
【図８】図１に示されたスピーカ装置の動作を説明するための斜視図であり、（Ａ）（Ｄ）は格納状態を示す図であり、（Ｂ）は後退状態を示す図であり、（Ｃ）は没入状態を示す図である。
【図９】本発明の第２実施例にかかるスピーカ装置のカバーの様子を示す断面図である。
【図１０】本発明の第３実施例にかかるスピーカ装置のカバーの様子を示す断面図である。
【発明を実施するための形態】
【０００９】
以下、本発明の一実施形態にかかるスピーカ装置について説明する。本発明の一実施形態にかかるスピーカ装置は、スピーカユニット、当該スピーカユニットを収容する筐体、スピーカユニットの音放射面の角度及び位置を変更可能な動作機構、を備え、筐体にスピーカユニットが格納された格納状態から、動作機構により動作されて、音放射面の一端が、筐体の開口縁（開口の縁）に対して、近接・離隔可能であり、音放射面の一端と開口縁との隙間を埋めるカバーを備え、カバーがスピーカユニットの動作に追従することで、隙間を埋めた状態が維持される。即ち、スピーカユニットが動作し、その音放射面の一端と筐体の開口縁とが離隔したとしても、カバーが追従することで、音放射面の一端と筐体の開口縁との隙間が埋められる。よって、カバーによって隙間を埋めた状態が維持されることとなり、当該隙間からの異物の侵入を抑制することができる。
【００１０】
また、音放射面の一端が、動作機構により動作されて、開口縁に対して、没入及び後退の何れか一方若しくは双方が可能であっても構わない。即ち、スピーカユニットが動作されることにより、音放射面の一端が、筐体の開口縁に対して、没入及び後退の何れか一方若しくは双方に変位される。これにより、スピーカユニットの音放射面が変位され、音が放射される位置の自由度を向上させつつ、カバーによって隙間を埋めた状態が維持されることとなり、当該隙間からの異物の侵入を抑制することができる。
【００１１】
また、スピーカユニットには、外周面が設けられ、カバーの一端が、開口縁に回動自在に接続され、他端が、外周面に接しながら移動しても構わない。カバーの他端が、スピーカユニットの外周面に接しながら移動されるから、カバーによって十分に隙間を埋めた状態が維持されることとなる。よって、隙間からの異物の侵入を十分に抑制することができる。
【００１２】
また、カバーの他端には、スピーカユニットの外周面に接しながら移動するブラシ又は可撓性部材、若しくは、外周面に沿って移動可能なローラが設けられていても構わない。ブラシ又は可撓性部材、若しくはローラが、スピーカユニットの外周面に沿って動作することで、スピーカユニットの外周面に隙間なく接触されるから、カバーにより十分に隙間を埋めた状態が維持されることになる。従って、隙間からの異物の侵入を十分に抑制することができる。
【００１３】
また、音放射面の一端には、カバーの表面に接しながら移動するブラシ又は可撓性部材が設けられていても構わない。音放射面の一端に、カバーの表面に接しながら移動するブラシ又は可撓性部材が設けられていることにより、隙間から落下した異物が、ブラシ又は可撓性部材上に着地し、スピーカユニットの動作に伴って、ブラシ又は可撓性部材がカバーの表面を下方から上方に接しながら移動することで、異物が上方側に移動される。つまり、スピーカユニットの動作に伴って、ブラシ又は可撓性部材により異物が掻き出されるから、異物を速やかに回収することができる。従って、隙間からの異物の侵入を十分に抑制することができる。
【００１４】
また、カバーが、音放射面の一端と開口縁とに接続されているとともに、伸縮自在であっても構わない。カバーが伸縮自在に構成されていることにより、スピーカユニットの動作に伴って、音放射面の一端と筐体の開口縁とが離隔した場合には、カバーが伸長されるが、カバーにより十分に隙間を埋めた状態が維持されることになる。従って、隙間からの異物の侵入を十分に抑制することができる。
【実施例】
【００１５】
（第１実施例）
以下、本発明の第１実施例について具体的に説明する。図１は、本発明の第１実施例にかかるスピーカ装置を示す斜視図である。図２は、図１に示されたスピーカ装置において、内部の構造を説明するための斜視図である。図３は、図１に示されたスピーカ装置の一部を示す斜視図である。図４は、図１に示されたスピーカ装置の動作機構の一部を示す側面図である。図５（Ａ）は、図１に示されたスピーカ装置の筐体の一部を示す斜視図であり、（Ｂ）は、（Ａ）にスピーカユニットが取り付けられた状態を示す斜視図である。図６は、図１に示されたスピーカ装置の動作過程におけるカバーの様子を示す断面図である。図７は、図１に示されたスピーカ装置の動作を説明するための側面図であり、（Ａ）（Ｄ）は格納状態を示す図であり、（Ｂ）は後退状態を示す図であり、（Ｃ）は没入状態を示す図である。図８は、図１に示されたスピーカ装置の動作を説明するための斜視図であり、（Ａ）（Ｄ）は格納状態を示す図であり、（Ｂ）は後退状態を示す図であり、（Ｃ）は没入状態を示す図である。
【００１６】
スピーカ装置１は、図１、２に示すように、スピーカユニット２と、スピーカユニット２の音響放射面（以下、「音放射面Ｓ１」と記す）の角度及び位置を変更可能な動作機構３（図２に示す）と、該スピーカユニット２を突没可能にする開口部４０（開口）を有して構成されて当該スピーカユニット２を収容する筐体４と、を備えている。このスピーカ装置１は、例えば車両のダッシュボードの上面のうち車幅方向の略中央部に設置される車両用スピーカ装置である。なお、スピーカ装置１は略中央部以外、例えば幅方向において左右に設置されても構わない。本実施例における上下方向（スピーカユニット２の突没方向）、車両の車幅方向（「左右方向」、「幅方向」と記す場合もある）、及び、進退方向（「前後方向」、「奥行き方向」と記す場合もある）は、図１、２等に示す通りとする。
【００１７】
スピーカユニット２は、振動板やエッジ、振動板に支持されるボイスコイル、磁気回路、前記振動板をエッジを介して支持するとともに、磁気回路を支持するフレーム等を備える図示しないスピーカ本体と、スピーカ本体を収容する箱状のスピーカ収容部２１と、を備えている。スピーカ収容部２１は、キャビネットであってもよい。
【００１８】
スピーカ収容部２１は、図１、３に示すように、スピーカ本体の音放射方向側に位置する音放射面Ｓ１を含む上面２０と、上面２０に連続される周面２３と、を有している。上面２０には、スピーカ本体からの音を放射する円形状のメッシュ部材２２が貼られた音放射面Ｓ１が形成されている。上面２０は、スピーカユニット２の前端において左右に直線状に延びる直線縁２ａと、この直線縁２ａの両端に連続されるとともに弧状を成す弧状縁２ｂと、を有して構成されている。周面２３は、直線縁２ａに連続される平坦面２４（請求項中の「外周面」、図３に示す）と、弧状縁２ｂに連続される曲面２５と、を有している。曲面２５には、図３に示すように、幅方向に突出形成された凸状の第１被案内部２１１及び第２被案内部２１２が設けられている。
【００１９】
第１被案内部２１１は、図２、３に示すように、音放射面Ｓ１近傍かつ後方側（搭乗者側）形成され、第２被案内部２１２は、第１被案内部２１１よりも前方側かつ音放射面Ｓ１から下方に離隔したスピーカ収容部２１の下端部に形成されている。また、第１被案内部２１１は、後述する連結部材３３に形成された挿通孔３３２に挿通され、連結部材３３に接続されて、モータ３４（図２に示す）からの回転力が、連結部材３３を介して、第１被案内部２１１に伝達されるように構成されている。
【００２０】
動作機構３は、図２に示すように、第１被案内部２１１及び第２被案内部２１２を案内するレール部材３１と、幅方向に沿った回転軸Ｏ１を有する回転ギア３２と、一端が回転ギア３２に接続されるとともに他端が第１被案内部２１１に接続される長尺状の連結部材３３と、モータ３４と、このモータ３４の回転力を回転ギア３２に伝達する複数の伝達ギア３５と、を備えて構成されている。レール部材３１、回転ギア３２及び連結部材３３は、スピーカユニット２の幅方向の両側に設けられ、幅方向の一方側に設けられたモータ３４の回転力が図示しないシャフトによって他方に伝達されるように構成されている。
【００２１】
レール部材３１は、図４、５に示すように、例えば樹脂から構成された平板に、第１被案内部２１１を案内する溝状の第１案内部３１１と、第２被案内部２１２を案内する溝状の第２案内部３１２（図５に示す）と、連結部材３３との干渉を防止するための図示しない切欠き部と、が形成されて構成されている。このレール部材３１は、全体が上下及び前後方向を含む平面に沿うとともに、平板において、第１被案内部２１１及び第２被案内部２１２が形成された面がスピーカユニット２側（内側）を向くように、スピーカユニット２の左右の両側に、筐体４に固定されている。
【００２２】
第１案内部３１１は、図４に示すように、前後方向に延びる第１経路３１１Ａと、第１経路３１１Ａの前端部３１１Ｄに連続するとともに、後方側かつ下方側に延びる第２経路３１１Ｂと、第２経路３１１Ｂの後端部３１１Ｅと第１経路３１１Ａの後端部３１１Ｆとを結ぶ第３経路３１１Ｃと、を有して三角形状に形成されている。第１経路３１１Ａの後端部３１１Ｆは第２経路３１１Ｂの後端部３１１Ｅよりも後方側に設けられ、第３経路３１１Ｃは、上方側に向かうに従って後方側に向かうように斜めに延びている。第２案内部３１２は、後方側に向かうに従って下方側に向かうように斜めに延びる経路を有して構成されている。
【００２３】
回転ギア３２は、図２、３に示すように、筐体４から幅方向内側に突出した図示しない軸受部によって回転可能に軸支（接続）されたギアであって、その幅方向内側には、連結部材３３の一端が偏心した位置に軸支されている。回転ギア３２の回転軸Ｏ１（図２に示す）は、後述する格納状態のスピーカユニット２の第２被案内部２１２よりも前方側かつ音放射面Ｓ１から離れた位置に配置されている。
【００２４】
筐体４は、図１に示すように、箱本体４１と、この箱本体４１の上面の一部を塞ぎつつスピーカユニット２を突没可能にする開口部４０を有する蓋部４２と、を備えている。
蓋部４２は、その上面（表面）がダッシュボードの上面（表面）と略同様の光沢及び質感を有して形成されていて、その外周縁が、ダッシュボードの開口縁に重なるように取り付けられている。
【００２５】
蓋部４２の開口部４０は、スピーカユニット２における上面２０の直線縁２ａに重なる開口直線縁４ａと、弧状縁２ｂに重なる開口弧状縁４ｂと、を有して構成されていて、その形状が、スピーカユニット２の上面２０の形状と、略同一形状となるように構成されている。そして、開口部４０は、後述するスピーカユニット２の格納状態（図７（Ａ）、図８（Ａ））では、スピーカユニット２の直線縁２ａと蓋部４２の開口直線縁４ａとが対向し、スピーカユニット２の弧状縁２ｂと蓋部４２の開口弧状縁４ｂとが対向して、蓋部４２の上面と、スピーカユニット２の上面２０とが略面一になるように構成されている。
【００２６】
さらに、図５（Ａ）（Ｂ）に示すように、筐体４には、開口部４０の開口直線縁４ａに回動自在に連結されるカバー５が設けられている。カバー５は、シート状（例えば平面形状が長方形板状であるもの）のカバー本体５０と、カバー本体５０に回転可能に支持されて、スピーカユニット２の平坦面２４に転動可能なローラ５１と、を備えて構成されている。カバー本体５０は、長手寸法（左右寸法）が、開口直線縁４ａの全長と略等しい寸法となるように、前後寸法が、スピーカユニット２が動作した際に、スピーカユニット２の直線縁２ａと開口直線縁４ａとの間の隙間を埋めることが可能な寸法となるように形成されている。
【００２７】
カバー本体５０は、図６に示すように、その後端部が、捩じりバネ５２（付勢部材）を介して開口直線縁４ａに連結されている。捩じりバネ５２は、１本の針金に曲げ加工が施されて構成されたものであり、コイル状に巻かれて形成された軸部５４を有して構成されている。捩じりバネ５２は、軸部５４の中心が左右方向に沿う格好でカバー本体５０の下面における後端部に固定され、前端５２Ａがカバー本体５０の下面に固定され、後端５２Ｂが蓋部４２の下面に固定されている。こうして、カバー本体５０は、軸部５４の軸を中心として回動自在に設けられ、捩じりバネ５２の付勢力により、前端側が、上方（音放射方向）に付勢されている。
【００２８】
ローラ５１は、カバー本体５０の前端部に設けられた受け部５３により、回転可能に支持されている。ローラ５１は、転動面がゴム等の弾性体から構成されている。受け部５３は、転動面に沿う曲面を有して構成されているとともに、ローラ５１の転動面の一部を露出させた状態で、該ローラ５１を支持している。ローラ５１は、その転動面がスピーカユニット２の平坦面２４に当接した状態で転動することで、スピーカユニット２の平坦面２４に隙間なく密接される。
【００２９】
このようなカバー５は、後述するスピーカユニット２の動作過程の何れの状態においても、スピーカユニット２側の前端が、捩じりバネ５２の付勢力により上方（音放射方向）側に付勢された状態で、ローラ５１の転動面が、スピーカユニット２の平坦面２４に当接するように設けられている。従って、カバー５が、スピーカユニット２の動作に追従することとなり、よって、スピーカユニット２の直線縁２ａと開口直線縁４ａとの隙間を埋めた状態が維持される。
【００３０】
以下、スピーカユニット２、動作機構３及びカバー５の動作の一例について、図７、８に基づいて説明する。
【００３１】
まず、スピーカユニット２は、車両のエンジンが動作していない状態において、図７（Ａ）、図８（Ａ）に示すような格納位置に位置づけられる（以下では、「格納状態」と記す）。格納状態のスピーカユニット２は、音放射面Ｓ１が筐体４の開口部４０（ダッシュボードの上面）と面一になるように筐体４に収容されている。このとき、図７（Ａ）、図８（Ａ）に示すように、第１被案内部２１１が第１案内部３１１の後端部３１１Ｆに位置し、第２被案内部２１２が第２案内部３１２の下端部に位置している。また、筐体４の開口直線縁４ａとスピーカユニット２の直線縁２ａとが対向し、カバー５は、ローラ５１の転動面がスピーカユニット２の平坦面２４に当接した状態で、後端部と前端部とが上下方向に沿う格好で設けられている。こうして、スピーカユニット２の格納状態では、カバー５により、開口直線縁４ａとスピーカユニット２の直線縁２ａとの隙間が埋められている。
【００３２】
次に、車両のイグニッションがオンになった際、車両に設けられた制御手段がモータ３４を駆動し、回転ギア３２を、図７（Ｂ）に示す位置まで時計回りに回転させる。第１被案内部２１１が前方側に移動し、第２被案内部２１２が第２案内部３１２によって前方側かつ上方側に移動する。スピーカユニット２は、全体が前方側に移動（後退）しつつ、音放射面Ｓ１とダッシュボードの上面との間の角度θが大きくなるように反時計回りに回動する。こうして、スピーカユニット２は後退状態となる。この後退状態では、スピーカユニット２の直線縁２ａが、筐体４の開口直線縁４ａに対して、前方側に離隔されている。また、カバー５は、格納状態から後退状態へのスピーカユニット２の動作に伴って、捩じりバネ５２の軸部５４を中心として反時計回りに回動され、その前端部に設けられたローラ５１がスピーカユニット２の平坦面２４に当接した状態で、平坦面２４の上方に向けて転動される。こうして、カバー５により、開口直線縁４ａとスピーカユニット２の直線縁２ａとの隙間が埋められた状態で、スピーカユニット２は変位される。
【００３３】
さらに、モータ３４を駆動させて、回転ギア３２を、図７（Ｃ）に示す位置まで時計回りに回転させる。図７（Ｂ）に示す状態から図７（Ｃ）に示す状態にかけて、第１被案内部２１１が後方側かつ下方側に移動していき、第２被案内部２１２が後方側かつ下方側に移動していく。従って、スピーカユニット２は、全体が後方側に移動していくとともに、角度θが小さくなるように時計回りに回動する。図７（Ｃ）に示す状態において、第１被案内部２１１が第２経路３１１Ｂの後端部３１１Ｅに位置し、第２被案内部２１２が第２案内部３１２の中間部に位置している。こうして、スピーカユニット２は没入状態となる。この没入状態では、スピーカユニット２の直線縁２ａが、筐体４の開口直線縁４ａに対して、前方側かつ下方側に離隔されている。また、カバー５は、後退状態から没入状態へのスピーカユニット２の動作に伴って、捩じりバネ５２の軸部５４を中心として反時計回りに回動され、その前端部に設けられたローラ５１がスピーカユニット２の平坦面２４に当接した状態で、平坦面２４の上方に向けて転動される。こうして、カバー５により、開口直線縁４ａとスピーカユニット２の直線縁２ａとの隙間が埋められた状態で、スピーカユニット２は変位される。
【００３４】
次に、車両のイグニッションがオフになった際、制御手段がモータ３４を駆動し、回転ギア３２を図７（Ｄ）に示す位置にまで回転させる。図７（Ｃ）に示す状態から図７（Ｄ）に示す状態にかけて、第１被案内部２１１が第３経路３１１Ｃを後方側かつ上方側に移動し、第２被案内部２１２が第２案内部３１２によって後方側かつ下方側に移動して、スピーカユニット２は、格納状態に戻る。
【００３５】
上述した実施例によれば、スピーカユニット２が動作し、スピーカユニット２の直線縁２ａ（音放射面の一端）と筐体４の開口直線縁４ａ（開口の縁）とが離隔したとしても、カバー５がスピーカユニット２の動作に追従することで、カバー５によって、スピーカユニット２の直線縁２ａと筐体４の開口直線縁４ａとの隙間を埋めた状態が維持される。よって、当該隙間からの異物の侵入が抑制される。
【００３６】
また、スピーカユニット２の直線縁２ａ（音放射面の一端）が、筐体４の開口直線縁４ａ（開口の縁）に対して、没入及び後退の双方が可能となるように構成されている。よって、スピーカユニット２が動作されることにより、スピーカユニット２の直線縁２ａが、筐体４の開口直線縁４ａに対して、スピーカユニット２の格納状態から後退状態、スピーカユニット２の後退状態から没入状態、スピーカユニット２の没入状態から格納状態、となるように、没入及び後退の双方が可能となるように変位される。これにより、スピーカユニット２の音放射面Ｓ１が変位され、音が放射される位置の自由度を向上させつつ、カバー５によってスピーカユニット２の直線縁２ａと筐体４の開口直線縁４ａとの隙間を埋めた状態が維持されることとなり、当該隙間からの異物の侵入が抑制される。
【００３７】
上述した実施例では、ローラ５１は、カバー本体５０に回転可能に支持されて、スピーカユニット２の平坦面２４に転動可能に設けられているが、本発明はこれに限定されるものではない。ローラは、スピーカユニット２の平坦面２４に対して転動せずに接しながら移動してもよい。即ち、ローラは、スピーカユニット２の平坦面２４に沿って移動可能に設けられていればよい。
【００３８】
（第２実施例）
続いて、第２実施例に係るスピーカ装置１０について、図９を参照して説明する。図９は、本発明の第２実施例にかかるスピーカ装置のカバーの様子を示す断面図である。なお、図９において、上述した実施例と同一構成乃至同一機能を有する部分には、同一符号を付して説明を省略する。第２実施例のスピーカ装置１０と、第１実施例のスピーカ装置１とは、スピーカユニットの構成が異なる。
【００３９】
第２実施例におけるスピーカ装置１０のスピーカユニット１２には、直線縁２ａに沿ってブラシ１５１が取り付けられている。ブラシ１５１は、スピーカユニット２の上面２０に沿う格好でカバー５に向けて延び、その先端が、スピーカユニット２の動作過程の何れの状態においても、カバー５の表面に接触するように設けられている。こうして、ブラシ１５１が、スピーカユニット２の動作に伴って、カバー５の表面に接しながら移動される。従って、例えば、スピーカユニット２の後退状態や没入状態において、カバー５上に異物が落下したとしても、スピーカユニット２が没入状態から後退状態に動作するに伴って、ブラシ１５１がカバー５の表面を下方から上方に接しながら移動することで、異物が上方側に移動される。つまり、スピーカユニット２の動作に伴って、ブラシ１５１により異物が掻き出されることとなり、異物を速やかに回収することができる。
【００４０】
上述した実施例では、スピーカ装置１０のスピーカユニット１２には、直線縁２ａ上にブラシ１５１が設けられているが、本発明はこれに限定されるものではない。ブラシは、カバー５の先端部に、カバー５の表面に沿う格好でスピーカユニット２の平坦面２４に向けて延びて設けられ、その先端が、スピーカユニット２の動作過程の何れの状態においても、スピーカユニット２の平坦面２４に接触するように設けられていてもよい。この場合には、カバー５の先端部において、ローラ５１に代えてブラシが設けられていてもよい。即ち、ブラシは、スピーカユニット１２及びカバー５の両方に設けられていてもよい。
【００４１】
また、上述した実施例では、スピーカユニット１２又はカバー５の少なくとも何れか一方に、ブラシ１５１が設けられているが、本発明はこれに限定されるものではない。ブラシ１５１の代わりに可撓性部材として例えば弾性シートから構成された図示しないブレードが設けられていてもよい。スピーカユニット１２又はカバー５の少なくとも何れか一方に、ブレードが設けられている場合には、ブラシ１５１が設けられている場合よりも、粒径が細かい異物の侵入が抑制される。
【００４２】
（第３実施例）
続いて、第３実施例に係るスピーカ装置１００について、図１０を参照して説明する。図１０は、本発明の第３実施例にかかるスピーカ装置のカバーの様子を示す断面図である。なお、図１０において、上述した実施例と同一構成乃至同一機能を有する部分には、同一符号を付して説明を省略する。第３実施例のスピーカ装置１００と、第１、第２実施例のスピーカ装置１、１０とは、カバー１５の構成が異なる。
【００４３】
第３実施例におけるスピーカ装置１００のカバー１５は、伸縮自在な蛇腹状に構成されている。このカバー１５は、伸縮方向の後端が開口直線縁４ａに固定（接続）され、その前端がスピーカユニット２の直線縁２ａに固定（接続）されて、カバー１５の開口直線縁４ａとスピーカユニット２の直線縁２ａ（両者）の間に架け渡されている。
【００４４】
このようなカバー１５は、スピーカユニット２の動作に伴って、開口直線縁４ａとスピーカユニット２の直線縁２ａとが離隔した場合には伸長され、開口直線縁４ａとスピーカユニット２の直線縁２ａとが近接した場合には収縮される。
【００４５】
上述した実施例によれば、スピーカユニット２が動作し、スピーカユニット２の直線縁２ａ（音放射面の一端）と筐体４の開口直線縁４ａ（開口の縁）とが離隔したとしても、カバー１５が伸長されることで、カバー１５によって、スピーカユニット２の直線縁２ａと筐体４の開口直線縁４ａとの隙間を埋めた状態が維持される。また、カバー１５は、その後端が開口直線縁４ａに固定（支持）され、その前端がスピーカユニット２の直線縁２ａに固定（支持）されて、カバー１５の開口直線縁４ａとスピーカユニット２の直線縁２ａ（両者）の間に架け渡されているから、筐体４の開口直線縁４ａとスピーカユニット２の直線縁２ａとの隙間に手を挟む等の不慮の事故を防止することができる。従って、隙間からの異物の侵入が十分に抑制される。
【００４６】
上述した実施例では、スピーカ装置１００のカバー１５は、伸縮自在な蛇腹状に構成されているが、本発明はこれに限定されるものではない。カバーは、ゴム等の弾性体から構成されていてもよい。
【００４７】
また、上述した実施例では、スピーカユニット２、１２の動作の一例として、スピーカユニット２、１２の格納状態から後退状態、スピーカユニット２、１２の後退状態から没入状態、スピーカユニット２、１２の没入状態から格納状態、となるように、スピーカユニット２、１２の直線縁２ａ（音放射面の一端）が、筐体４の開口直線縁４ａ（開口の縁）に対して、没入及び後退の双方が可能となるように構成された例を説明したが、本発明はこれに限定されるものではない。スピーカユニット２、１２は、その直線縁２ａが、筐体４の開口直線縁４ａに対して、没入可能にのみ構成されていてもよく、後退可能にのみ構成されていてもよい。さらに上記の動作に加えて、突出可能となるように構成されていてもよい。この場合には、カバーは、第３実施例のカバー１５のように、伸縮自在に構成され、その後端が開口直線縁４ａに固定（接続）され、その前端がスピーカユニット２、１２の直線縁２ａに固定（接続）されていればよい。
【００４８】
また、当業者は、従来公知の知見に従い、本発明のスピーカ装置を適宜改変することができる。かかる改変によってもなお本発明のスピーカ装置の構成を具備する限り、勿論本発明の範疇に含まれるものである。
【符号の説明】
【００４９】
１、１０、１００        スピーカ装置
２、１２                スピーカユニット
２ａ                    直線縁（音放射面の一端）
３                      動作機構
４                      筐体
４ａ                    開口直線縁（開口部の縁）
５、１５                カバー
２４                    平坦面（外周面）
４０                    開口部
５１                    ローラ
１５１                  ブラシ
Ｓ１                    音放射面
【図１】
2016158029.tif 000003
【図２】
2016158029.tif 000004
【図３】
2016158029.tif 000005
【図４】
2016158029.tif 000006
【図５】
2016158029.tif 000007
【図６】
2016158029.tif 000008
【図７】
2016158029.tif 000009
【図８】
2016158029.tif 000010
【図９】
2016158029.tif 000011
【図１０】
2016158029.tif 000012